(57)【要約】【課題】表示均一性が高い液晶表示装置を提供する。【解決手段】実施形態によれば、液晶パネルと光源装置とを備えた液晶表示装置が提供される。液晶パネルは、２枚の基板と、両基板の少なくともいずれかに設けられた複数の柱状スペーサと、両基板の間に設けられベンド配列の液晶層と、を含む。液晶パネルの透過率は、液晶層に印加される電圧の変化に対して極小値を有する。動作中において、液晶パネルの第１領域の温度は第１温度で、第２領域の温度は第１温度よりも高い第２温度である。第２領域における柱状スペーサの面積比は、第１領域における柱状スペーサの面積比よりも大きい。第２領域の液晶層の厚さは、第１領域の液晶層の厚さよりも厚い。第１温度において第１領域における透過率が極小になる電圧が液晶層に印加されたときに、第２領域の透過率は、第２温度よりも低い温度において極小になる。【選択図】図１
2012098457.tif 000002
【特許請求の範囲】
【請求項１】
第１基板と、前記第１基板に対向する第２基板と、前記第１基板及び前記第２基板の少なくともいずれかに設けられ前記第１基板と前記第２基板との間の距離を制御する複数の柱状スペーサと、前記第１基板と前記第２基板との間に設けられ印加される電圧によって複数のベンド配列状態間を遷移可能な液晶層と、を含み、前記液晶層に印加される前記電圧の変化に対して透過率が極小値を有する液晶パネルと、
前記液晶パネルに併設され、前記液晶パネルに光を入射させる光源装置と、
を備え、
動作中において、前記液晶パネルの表示領域内の第１領域の温度は第１温度で、前記表示領域内の第２領域の温度は前記第１温度よりも高い第２温度であり、
前記第２領域における前記複数の柱状スペーサの単位面積あたりの合計の面積は、前記第１領域における前記複数の柱状スペーサの単位面積あたりの合計の面積よりも大きく、
前記第２領域における前記液晶層の厚さは、前記第１領域における前記液晶層の厚さよりも厚く、
前記第１温度において前記第１領域における前記透過率が極小になる電圧が前記液晶層に印加されたときに、前記第２領域の透過率は、前記第２温度よりも低い温度において極小になることを特徴とする液晶表示装置。
【請求項２】
前記液晶層に印加される前記電圧を前記液晶層に供給する駆動部と、
前記液晶パネルの前記温度を得る温度検出部と、
をさらに備え、
前記駆動部は、前温度検出部で得た前記液晶パネルの前記温度に基づいて、前記第１温度において前記第１領域における前記透過率が極小になる前記電圧を前記液晶層に印加することを特徴とすることを特徴とする請求項１記載の液晶表示装置。
【請求項３】
前記駆動部は、前記第１領域の温度が前記第１温度よりも低い初期状態において、前記第１温度において前記第１領域における前記透過率が極小になる前記電圧よりも高い電圧を前記液晶層に印加することを特徴とする請求項２記載の液晶表示装置。
【請求項４】
前記第１領域の温度が前記第１温度で、前記第２領域の温度が前記第２温度であるときは、前記動作中において前記光源装置で発生する熱による前記液晶パネルの温度変化が時間的に安定する定常状態であることを特徴とする請求項１〜３のいずれか１つに記載の液晶表示装置。
【請求項５】
前記光源装置は、前記液晶パネルの端部に沿って設けられ前記光を放出する発光部を含み、
前記第２領域は、前記第１領域と前記発光部と間に配置されることを特徴とする請求項１〜４のいずれか１つに記載の液晶表示装置。
【発明の詳細な説明】
【技術分野】
【０００１】
本発明の実施形態は、液晶表示装置に関する。
【背景技術】
【０００２】
液晶表示装置において、液晶パネルに併設される光源の熱により、液晶パネルの表示面内に温度むらが生じることがある。液晶の動作電圧は温度依存性が大きいため、この温度むらは表示むらになる。これに対し、光源に近い部分の液晶層の厚さを光源から遠い部分よりも大きくすることが提案されている。表示むらをさらに抑制するためには、改良の余地がある。
【先行技術文献】
【特許文献】
【０００３】
【特許文献１】特開平１１−１７４４２０号公報
【発明の概要】
【発明が解決しようとする課題】
【０００４】
本発明の実施形態は、表示均一性が高い液晶表示装置を提供する。
【課題を解決するための手段】
【０００５】
本発明の実施形態によれば、液晶パネルと、光源装置と、を備えた液晶表示装置が提供される。前記液晶パネルは、第１基板と、前記第１基板に対向する第２基板と、前記第１基板及び前記第２基板の少なくともいずれかに設けられ前記第１基板と前記第２基板との間の距離を制御する複数の柱状スペーサと、前記第１基板と前記第２基板との間に設けられ印加される電圧によって複数のベンド配列状態間を遷移可能な液晶層と、を含む。前記液晶パネルの透過率は、前記液晶層に印加される前記電圧の変化に対して極小値を有する。前記光源装置は、前記液晶パネルに併設され、前記液晶パネルに光を入射させる。  
動作中において、前記液晶パネルの表示領域内の第１領域の温度は第１温度で、前記表示領域内の第２領域の温度は前記第１温度よりも高い第２温度である。前記第２領域における前記複数の柱状スペーサの単位面積あたりの合計の面積は、前記第１領域における前記複数の柱状スペーサの単位面積あたりの合計の面積よりも大きい。前記第２領域における前記液晶層の厚さは、前記第１領域における前記液晶層の厚さよりも厚い。前記第１温度において前記第１領域における前記透過率が極小になる電圧が前記液晶層に印加されたときに、前記第２領域の透過率は、前記第２温度よりも低い温度において極小になる。
【図面の簡単な説明】
【０００６】
【図１】図１（ａ）及び図１（ｂ）は、実施形態に係る液晶表示装置の構成を例示する模式図である。
【図２】図２は、実施形態に係る液晶表示装置の構成を例示する模式的断面図である。
【図３】図３（ａ）〜図３（ｃ）は、実施形態に係る液晶表示装置の動作を例示する模式的断面図である。
【図４】図４（ａ）及び図４（ｂ）は、実施形態に係る液晶表示装置の特性を例示するグラフ図である。
【図５】図５は、実施形態に係る液晶表示装置の特性を例示するグラフ図である。
【図６】図６は、実施形態に係る液晶表示装置の特性を例示するグラフ図である。
【図７】図７（ａ）及び図７（ｂ）は、実施形態に係る液晶表示装置の特性を例示する模式図である。
【図８】図８（ａ）及び図８（ｂ）は、実施形態に係る液晶表示装置の構成を例示するグラフ図である。
【図９】図９（ａ）〜図９（ｈ）は、液晶表示装置の動作を例示するグラフ図である。
【図１０】（ａ）〜図１０（ｄ）は、液晶表示装置の動作を例示するグラフ図である。
【図１１】図１１（ａ）〜図１１（ｃ）は、実施形態に係る別の液晶表示装置の構成を例示する模式的平面図である。
【図１２】図１２（ａ）及び図１２（ｂ）は、実施形態に係る別の液晶表示装置の構成を例示する模式図である。
【発明を実施するための形態】
【０００７】
以下に、本発明の各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【０００８】
（実施の形態）
図１（ａ）及び図１（ｂ）は、実施形態に係る液晶表示装置の構成を例示する模式図である。  
すなわち、図１（ａ）は斜視図であり、図１（ｂ）は平面図である。  
図１（ａ）及び図１（ｂ）に表したように、実施形態に係る液晶表示装置５０は、液晶パネル１０と、光源装置３０と、を備える。特に、この実施形態の液晶表示装置５０は、例えば、１２０Ｈｚ周期で左右眼用の画像を時分割で表示することにより立体画像表示を実現するディスプレイである。液晶表示装置５０の表示画面は、例えば、１０８０本の水平画素ラインを含む対角１６インチ・ワイド画面を有する。
【０００９】
液晶パネル１０は、第１基板２１０と、第２基板２２０と、液晶層２７０と、を含む。液晶層２７０は、第１基板２１０及び第２基板２２０との間に設けられる。
【００１０】
光源装置３０は、液晶パネル１０に並置される。本具体例では、光源装置３０は、発光部３１を含む。本具体例では、発光部３１は、液晶パネル１０の端部に沿って設けられる。発光部３１は、液晶パネル１０に入射させる光を放出する。発光部３１は、例えば発熱する。発光部３１には、例えば、ＬＥＤや冷陰極管などが用いられる。本具体例では、光源装置３０は、液晶パネル１０の主面１０ａに平行な方向に延在する導光部３２をさらに含む。例えば、導光部３２の側面に、発光部３１が配置される。発光部３１から放出された光が導光部３２の側面から導光部３２内に入射し、その光が、導光部３２の主面から出射し、液晶パネル１０の主面１０ａから液晶パネル１０に入射する。  
この実施形態においては、左右眼用の画像を時分割で表示することにより立体画像表示を実現するために必要な表示輝度を確保する。このために、表示画面の長辺に沿って８１個のＬＥＤが、導光部３２の厚さ方向に２段で並列配置（合計１６２個）されている。なお、光源装置３０の構成は任意である。
【００１１】
液晶パネル１０は、光スイッチの機能を有する。液晶パネル１０の透過率の変化により、液晶表示装置５０は、情報を表示する。
【００１２】
ここで、液晶パネル１０の主面１０ａ（表示面）に対して垂直な方向をＺ軸方向とする。主面１０ａに対して平行な１つの方向をＸ軸方向とし、主面１０ａに対して平行でＸ軸方向に対して垂直な方向をＹ軸方向とする。例えば、Ｘ軸方向は、液晶パネル１０の横方向の辺に対して平行である。そして、Ｙ軸方向は、液晶パネル１０の縦方向の辺に対して平行である。
【００１３】
例えば、液晶パネル１０は、ポリシリコンまたはアモルファスシリコンに基づく複数の薄膜トランジスタを含む。複数の薄膜トランジスタは、例えば、第１基板２１０の主面上に、Ｘ軸方向及びＹ軸方向に沿ってマトリクス状に配置される。複数の薄膜トランジスタのそれぞれには画素電極が接続される。一方、第２基板２２０には、対向電極が設けられる。すなわち、液晶パネル１０は、アクティブマトリクス型の液晶表示パネルである。ただし、実施形態はこれに限らず、液晶パネル１０は、単純マトリクス型の液晶表示素子でも良い。液晶パネル１０の構成は任意である。第１基板２１０及び第２基板２２０の少なくともいずれかには、複数のカラーフィルタを設けることができる。複数のカラーフィルタのそれぞれは、複数の画素電極のそれぞれに対応して配置される。これにより、液晶表示装置５０は、カラー表示を行うことができる。
【００１４】
液晶パネル１０は、例えば主面１０ａ内の中央部分に配置される表示領域ＤＡを有する。表示領域ＤＡは、例えば上記の画素電極が設けられる領域である。表示領域ＤＡは、対角１６インチサイズである。表示領域ＤＡ内において、第１領域ＲＧ１と、第２領域ＲＧ２と、が設けられる。本具体例では、第１領域ＲＧ１と第２領域ＲＧ２との間に第３領域ＲＧ３が設けられている。例えば、第２領域ＲＧ２は、光源側から２００本の水平画素ラインまでの領域である。第３領域ＲＧ３は、２０１本から７００本までの領域である。第１領域ＲＧ１は、７０１本から１０８０本までの領域である。これらの領域に関しては、後述する。
【００１５】
本具体例では、液晶表示装置５０は、駆動部４０をさらに備える。駆動部４０は、液晶層２７０に印加される電圧を液晶層２７０に供給する。駆動部４０は、例えばドライバＩＣである。駆動部４０は、第１基板２１０及び第２基板２２０の少なくともいずれかに設けられる。または、駆動部４０は、第１基板２１０及び第２基板２２０とは別に設けられる。駆動部４０は、例えば複数の薄膜トランジスタに接続された配線のそれぞれに接続される。駆動部４０は、薄膜トランジスタを介して画素電極の電位を制御する。これにより、各画素電極と対向電極との間の液晶層２７０に任意の電圧が印加される。
【００１６】
図２は、実施形態に係る液晶表示装置の構成を例示する模式的断面図である。  
すなわち、図２は、図１（ａ）のＡ１−Ａ２線断面図である。  
図２に表したように、液晶パネル１０は、第１基板２１０と、第２基板２２０と、複数の柱状スペーサ２５０と、液晶層２７０と、を含む。第２基板２２０は、第１基板２１０に対向する。複数の柱状スペーサ２５０は、第１基板２１０及び第２基板２２０の少なくともいずれかに設けられる。本具体例では、柱状スペーサ２５０は第１基板２１０の主面上に設けられている。複数の柱状スペーサ２５０は、第１基板２１０と第２基板２２０との間の距離を制御する。なお、第１基板２１０と第２基板２２０とは互いに入れ替えが可能である。
【００１７】
液晶層２７０は、第１基板２１０及び第２基板２２０との間に設けられる。液晶層２７０の厚さ（液晶層厚ｄＬ）は、柱状スペーサ２５０によって制御された第１基板２１０と第２基板２２０との間の間隔によって定められる。後述するように、液晶層２７０は、液晶層２７０に印加される電圧によって複数のベンド配列状態間を遷移可能である。
【００１８】
後述するように、液晶パネル１０の透過率は、液晶層２７０に印加される電圧の変化に対して極小値を有する。
【００１９】
例えば、第１基板２１０の主面上に、複数の柱状スペーサ２５０が設けられる。複数の柱状スペーサ２５０には、例えば、感光性の樹脂が用いられる。柱状スペーサ２５０は、例えばフォトリソグラフィ技術により形成される。これにより、複数の柱状スペーサ２５０のそれぞれのサイズ（Ｘ−Ｙ平面で切断したときの面積）、及び、配置が高い精度で制御できる。
【００２０】
第１基板２１０に主面上に第１電極２１１（例えば画素電極）が設けられる。第１電極２２１の上に、第１配向膜２１２が設けられる。なお、第１配向膜２１２は、柱状スペーサ２５０の少なくとも一部を覆っても良い。
【００２１】
第２基板２２０の第１基板２１０と対向する主面上に、第２電極２２１（例えば対向電極）が設けられる。第２電極２２１の上に、第２配向膜２２２が設けられる。
【００２２】
第１基板２１０及び第２基板２２０には、例えばガラス基板が用いられる。第１電極２１１及び第２電極２２１には、例えばＩＴＯ（Indium Tin Oxide）などの透明導電層が用いられる。第１配向膜２１２及び第２配向膜２２２には、例えばポリイミドなどが用いられる。第１配向膜２１２及び第２配向膜２２２には、例えばラビングなどの配向処理が施される。配向処理の方向はＸ−Ｙ平面内の１つの方向である。液晶層２７０の長軸方向は、例えば、配向処理の方向に沿う。
【００２３】
第１基板２１０と第２基板２２０との間、具体的には、第１配向膜２１２と第２配向膜２２２との間に液晶層２７０が配置される。
【００２４】
液晶パネル１０は、第１偏光層Ｐ１及び第２偏光層Ｐ２をさらに含む。液晶パネル１０は、第１位相差層Ｆ１及び第２位相差層Ｆ２をさらに含むことができる。第１偏光層Ｐ１と第２偏光層Ｐ２との間に第１基板２１０が配置される。第１基板２１０と第２偏光層Ｐ２との間に第２基板２２０が配置される。第１偏光層Ｐ１と第１基板２１０との間に第１位相差層Ｆ１が配置される。第２偏光層Ｐ２と第２基板２２０との間に第２位相差層Ｆ２が配置される。
【００２５】
第１偏光層Ｐ１の吸収軸は、例えば、第２偏光層Ｐ２の吸収軸と直交する。第１偏光層Ｐ１の吸収軸と配向処理の方向との角度は、例えば４５度に設定される。第１位相差層Ｆ１及び第２位相差層Ｆ２には、傾斜光学層を用いることができる。この傾斜光学層には、複屈折率が負の光学材料が用いられ、その光学材料の光軸は傾斜光学層の厚さ方向に対して傾いている。また、第１位相差層Ｆ１及び第２位相差層Ｆ２は、さらに１軸光学フィルムや２軸光学フィルムをさらに含んでも良い。すなわち、第１位相差層Ｆ１及び第２位相差層Ｆ２には、積層フィルムを用いることができる。第１位相差層Ｆ１及び第２位相差層Ｆ２により、液晶層２７０のリタデーションを調整し、また、液晶パネル１０の視角特性を補償することができる。これにより、広い視野角が得られる。
【００２６】
図３（ａ）〜図３（ｃ）は、実施形態に係る液晶表示装置の動作を例示する模式的断面図である。  
すなわち、これらの図は、液晶層２７０の状態を例示している。  
図３（ａ）は、非動作時（例えば液晶層２７０に印加される電圧が０ボルトである場合）に対応する。図３（ｂ）は、動作状態において液晶層２７０に低電圧を印加した時の状態に対応する。図３（ｃ）は、動作状態において液晶層２７０に高電圧を印加した時の状態に対応する。高電圧の実効値は、低電圧の実効値よりも高い。
【００２７】
図３（ａ）に表したように、液晶層２７０には、例えばパイセル（πセル）の構成が用いられる。すなわち、第１配向膜２１２の配向処理方向は、第２配向膜２２２の配向処理方向に対して平行（０度）である。すなわち、反平行（１８０度）ではない。非動作状態において、液晶層２７０の配列状態はスプレイ配列である。
【００２８】
一方、動作状態においては、液晶層２７０の配列状態はベンド配列を含む。例えば、液晶パネル１０において、非動作状態から動作状態に移行する際に、所定の転移電圧を液晶層２７０に印加する。すなわち、液晶層２７０の配列状態をスプレイ配列からベンド配列に転移させる処理を行う。ベンド配列に転位した後に、液晶層２７０は、複数のベンド配列状態を有することができる。
【００２９】
すなわち、図３（ｂ）に表したように、低電圧を印加したときの第１ベンド配列においては、液晶層２７０の厚さ方向の中央部における液晶分子２７０ｌの長軸はＺ軸方向に対して実質的に平行である。  
そして、図３（ｃ）に表したように、高電圧を印加したときの第２ベンド配列においては、液晶層２７０の厚さ方向の中央部における液晶分子２７０ｌの長軸はＺ軸方向に対して実質的に平行である。  
そして、第１ベンド配列と第２ベンド配列とでは、液晶層２７０の基板の近傍から液晶層２７０の厚さ方向の中央部までの領域における液晶分子２７０ｌの配列が互いに異なっている。すなわち、第２ベンド配列における液晶分子２７０ｌのチルト角は、第１ベンド配列における液晶分子２７０ｌのチルト角よりも大きい。これにより、液晶層２７０の実効的な複屈折率が変化する。すなわち、実効的な複屈折率が減少する。
【００３０】
このため、第２ベンド配列における液晶層２７０のリタデーションは、第１ベンド配列における液晶層２７０のリタデーションよりも小さくなる。このリタデーションの変化は、透過率の変化に変換される。
【００３１】
液晶層２７０の実効的な複屈折率をΔｎｅｆｆとし、液晶層２７０の厚さをｄとする。液晶層２７０を直交偏光層の間に配置し、直交偏光層の光軸と液晶分子の長軸方向との角度を４５度に設定する。このとき、波長λの光の透過率は、ｓｉｎ２（Δｎｅｆｆｄπ／λ）で表される。すなわち、印加電圧により実効的な複屈折率Δｎｅｆｆを制御し、これにより透過率が制御できる。このように、液晶パネル１０においては、電界効果複屈折率制御型の電気光学特性が得られる。このとき、上記の関係式で示されるように、透過率は、印加電圧の変化に対して極小値を有する。
【００３２】
このように、液晶層２７０の液晶配列は、液晶層２７０に印加される電圧によって互いに異なる複数のベンド配列状態（例えば第１ベンド配列及び第２ベンド配列）の間を遷移する。すなわち、液晶層２７０は、ＯＣＢ（Optically Compensated Bend）モードの液晶層である。
【００３３】
なお、上記は、液晶が正の誘電異方性を有する場合として説明したが、液晶が負の誘電異方性を有していても良い。
【００３４】
図４（ａ）及び図４（ｂ）は、実施形態に係る液晶表示装置の特性を例示するグラフ図である。  
すなわち、図４（ａ）は、電気光学特性の液晶層厚依存性を例示している。すなわち、同図は、液晶層厚Ｌｄが小厚ｄ０１、中厚ｄ０３及び大厚ｄ０２（ｄ０１＜ｄ０３＜ｄ０２）の場合の特性を例示している。図４（ｂ）は、電気光学特性（印加電圧と透過率の関係）の温度依存性を例示している。すなわち、同図は、温度ＴＰが低温Ｔ０１、中温Ｔ０３及び高温Ｔ０２（Ｔ０１＜Ｔ０３＜Ｔ０２）の場合の特性を例示している。これらの図の横軸は、液晶層２７０に印加される印加電圧Ｖａ（実効値電圧）であり、縦軸は透過率Ｔｒである。
【００３５】
図４（ａ）に表したように、液晶層厚ｄＬが大きくなると、電気光学特性の曲線は高電圧側にシフトする。すなわち、液晶層厚ｄＬが小厚ｄ０１の場合には、透過率Ｔｒが極小になる電圧（暗電圧Ｖｄ）は、低電圧Ｖｄ１である。そして、液晶層厚ｄＬが中厚ｄ０３の場合には、暗電圧Ｖｄは、中電圧Ｖｔ３である。液晶層厚ｄＬが大厚ｄ０２の場合には、暗電圧Ｖｄは、高電圧Ｖｄ２である。そして、低電圧Ｖｄ１＜中電圧Ｖｄ３＜高電圧Ｖｄ２である。これは、液晶層厚ｄＬが大きくなると液晶層２７０のリタデーションが大きくなることに基づく。
【００３６】
図４（ｂ）に表したように、温度ＴＰが高くなると、電気光学特性の曲線は低電圧側にシフトする。すなわち、温度ＴＰが低温Ｔ０１の場合には、透過率Ｔｒが極小になる暗電圧Ｖｄは、高電圧Ｖｔ１である。そして、温度ＴＰが中温Ｔ０３の場合には、暗電圧Ｖｄは、中電圧Ｖｔ３である。温度ＴＰが高温Ｔ０２の場合には、暗電圧Ｖｄは、低電圧Ｖｔ２である。そして、低電圧Ｖｔ２＜中電圧Ｖｔ３＜高電圧Ｖｔ１である。これは、例えば、温度ＴＰが上昇すると液晶の複屈折率が小さくなることに基づく。さらに、これは、例えば、温度ＴＰが上昇すると液晶配列の温度依存性（液晶の弾性エネルギーと誘電エネルギーとのバランスの温度特性に基づく）に基づく。
【００３７】
図５は、実施形態に係る液晶表示装置の特性を例示するグラフ図である。  
すなわち、同図は、透過率が極小になる暗電圧Ｖｄの温度依存性を例示している。横軸は温度ＴＰであり、縦軸は暗電圧Ｖｄである。なお、同図においては、液晶層厚ｄＬは一定である。  
図５に表したように、暗電圧Ｖｄは、温度ＴＰの変化に大きく依存する。液晶表示装置５０において、透過率が極小を示す状態は暗状態である。暗電圧Ｖｄが変動すると、透過率の暗状態が変化し、透過率が十分低下しない。このことはコントラスト比の低下に繋がり、表示性能が著しく損なわれる。温度ＴＰが、表示領域ＤＡ内によって変化すると表示むらが発生する。
【００３８】
図６は、実施形態に係る液晶表示装置の特性を例示するグラフ図である。  
すなわち、同図は、表示領域ＤＡの第１領域ＲＧ１、第２領域ＲＧ２及び第３領域ＲＧ３における液晶パネル１０（液晶層２７０）の温度ＴＰの時間変化を例示している。横軸は、時間ｔであり、縦軸は温度ＴＰである。ここで、第１領域ＲＧ１は発光部３１から最も遠く、第２領域ＲＧ２は、第１領域ＲＧ１と発光部３１との間に配置され、第３領域ＲＧ３は、第１領域ＲＧ１と第２領域ＲＧ２との間に配置されている。
【００３９】
図６に表したように、初期状態（時間ｔ＝０）においては、第１領域ＲＧ１、第２領域ＲＧ２及び第３領域ＲＧ３の温度ＴＰは、例えば２５℃で一定である。そして、動作を開始して時間ｔが経過するにしたがって、温度ＴＰは上昇する。これは、発光部３１から発生する熱の影響による。そして、一定の時間が経過すると、各領域の温度ＴＰはほぼ一定になる。すなわち、第１領域ＲＧ１の温度ＴＰは、２０分程度経過すると、例えば約３５℃前後で安定する。第３領域ＲＧ３の温度ＴＰは、例えば約３８℃前後で安定する。そして、第２領域ＲＧ２の温度ＴＰは、例えば約５０℃前後で安定する。
【００４０】
このように、発光部３１との距離によって定常状態における温度ＴＰが変わる。このため、定常状態において、表示領域ＤＡ内に表示むらが発生する。
【００４１】
定常状態は、光源装置３０で発生する熱による液晶パネル１０の温度変化が時間的に安定している状態である。すなわち、定常状態は、液晶パネル１０の温度が時間的に実質的に変化しない状態である。  
例えば、温度ＴＰが、初期状態の温度と最終的な温度との差の９０％以上になるときを定常状態と定めることができる。この定義における定常状態になるまでの時間は、例えば、図６中の時間ｔｃ１である。  
また、例えば、温度ＴＰが、初期状態の温度と最終的な温度との差の９８％以上になるときを定常状態と定めることができる。この定義における定常状態になるまでの時間は、例えば、図６中の時間ｔｃ２である。
【００４２】
図７（ａ）及び図７（ｂ）は、実施形態に係る液晶表示装置の特性を例示する模式図である。  
図７（ａ）は、液晶表示装置における座標系及び位置を例示している。  
図７（ａ）に表したように、液晶パネル１０の表示領域ＤＡにおいて、光源装置３０の発光部３１から最も遠い部分を遠隔部ＰＹ１とする。そして、発光部３１に最も近い部分を近接部ＰＹ２とする。この例では、遠隔部ＰＹ１のＸ軸方向に沿った位置と、近接部ＰＹ２のＸ軸方向に沿った位置と、は、表示領域ＤＡのＸ軸方向に沿った中心とされる。そして、遠隔部ＰＹ１のＹ軸方向に沿った位置を遠隔位置Ｙ１とする。近接部ＰＹ２のＹ軸方向に沿った位置を近接位置Ｙ２とする。  
遠隔部ＰＹ１は、表示領域ＤＡ内の第１領域ＲＧ１に含まれる。近接部ＰＹ２は、表示領域ＤＡ内の第２領域ＲＧ２に含まれる。
【００４３】
図７（ｂ）は、定常状態における表示領域ＤＡの温度分布を例示するグラフ図である。すなわち、図７（ｂ）は、遠隔部ＰＹ１から近接部ＰＹ２に沿った表示領域ＤＡの温度ＴＰを示している。図７（ｂ）の横軸は、Ｙ軸方向に沿った位置ＰＹであり、縦軸は温度ＴＰである。  
図７（ｂ）に表したように、定常状態において、温度ＴＰはＹ軸方向に沿って変化している。すなわち、第１領域ＲＧ１では温度ＴＰは低く、第２領域ＲＧ２では温度ＴＰは高く、第３領域ＲＧ３では温度は中間である。
【００４４】
実施形態に係る液晶表示装置５０においては、このような温度依存性を補償するように、柱状スペーサ２５０を制御し、これにより液晶層厚ｄＬを制御する。
【００４５】
図８（ａ）及び図８（ｂ）は、実施形態に係る液晶表示装置の構成を例示するグラフ図である。  
すなわち、図８（ａ）は、柱状スペーサ２５０の面積比の分布を例示している。同図の横軸は、Ｙ軸方向に沿った位置ＰＹであり、縦軸は、柱状スペーサ２５０の面積比ＳＲである。ここで、面積比ＳＲは、表示領域ＤＡにおける単位面積あたりの、複数の柱状スペーサ２５０のＸ−Ｙ平面内の面積の合計である。例えば、表示領域ＤＡ内の中で着目している領域の面積をＳ１とし、１つの柱状スペーサ２５０のＸ−Ｙ平面内の断面積をＳ２とし、着目している領域の中に設けられる柱状スペーサ２５０の数をＮ２としたとき、ＳＲ＝Ｓ２×Ｎ２／Ｓ１で表される。このように、１つの柱状スペーサ２５０の面積（サイズ）を大きくする、及び、柱状スペーサ２５０の密度を高くする、の少なくともいずれかにより、面積比ＳＲが高くなる。
【００４６】
図８（ａ）に表したように、第２領域ＲＧ２における面積比ＳＲは、第１領域ＲＧ１における面積比ＳＲよりも高く設定される。第３領域ＲＧ３における面積比ＳＲは、第１領域ＲＧ１の面積比ＳＲと第２領域ＲＧ２の面積比ＳＲとの間に設定される。
【００４７】
なお、本具体例では、第２領域ＲＧ２における面積比ＳＲは２つの値を有する。このように、各領域内で、面積比ＳＲは変化しても良い。また、本具体例では、面積比ＳＲは段階的に変化しているが、連続的に変化しても良い。
【００４８】
柱状スペーサ２５０の面積比を表示領域ＤＡ内で変化させることで、液晶層２７０の液晶層厚ｄＬを表示領域ＤＡ内で変化させることができる。  
図８（ｂ）は、液晶層厚ｄＬの分布を例示している。同図の横軸は、Ｙ軸方向に沿った位置ＰＹであり、縦軸は、液晶層厚ｄＬである。
【００４９】
図８（ｂ）に表したように、第２領域ＲＧ２における液晶層厚ｄＬは、第１領域ＲＧ１における液晶層厚ｄＬよりも厚い。第３領域ＲＧ３における液晶層厚ｄＬは、第１領域ＲＧ１の液晶層厚ｄＬと第２領域ＲＧ２の液晶層厚ｄＬの間の値になる。
【００５０】
このように、実施形態に係る液晶表示装置５０においては、液晶パネル１０の表示領域ＤＡ内の第１領域ＲＧ１の温度は第１温度Ｔ１で、表示領域ＤＡ内の第２領域ＲＧ２の温度は第１温度Ｔ１よりも高い第２温度Ｔ２である。このときに、第２領域ＲＧ２における複数の柱状スペーサ２５０の単位面積あたりの合計の面積を、第１領域ＲＧ１における複数の柱状スペーサ２５０の単位面積あたりの合計の面積よりも大きく設定する。すなわち、第２領域ＲＧ２における柱状スペーサ２５０の面積比ＳＲを、第１領域ＲＧ１における柱状スペーサ２５０の面積比ＳＲよりも高く設定する。
【００５１】
これにより、第２領域ＲＧ２における液晶層２７０の厚さは、第１領域ＲＧ１における液晶層２７０の厚さよりも厚く制御される。
【００５２】
なお、表示領域ＤＡ内の第１領域ＲＧ１と第２領域ＲＧ２との間の第３領域ＲＧ３の温度は、第１温度Ｔ１と第２温度Ｔ２との間の第３温度Ｔ３である。第３領域ＲＧ３における複数の柱状スペーサ２５０の単位面積あたりの合計の面積は、第１領域ＲＧ１における複数の柱状スペーサ２５０の単位面積あたりの合計の面積と、第２領域ＲＧ２における複数の柱状スペーサ２５０の単位面積あたりの合計の面積との間に設定される。そして、第３領域ＲＧ３における液晶層２７０の厚さは、第１領域ＲＧ１の液晶層２７０の厚さと第２領域ＲＧ２の液晶層２７０の厚さとの間に制御される。
【００５３】
上記の第１温度Ｔ１、第２温度Ｔ２（及び第３温度Ｔ３）は、例えば、動作中において光源装置３０で発生する熱による液晶パネル１０の温度変化が時間的に安定する定常状態の温度とされる。すなわち、第１領域ＲＧ１の温度が第１温度Ｔ１で、第２領域ＲＧ２の温度が第２温度Ｔ２であるときは、動作中において光源装置３０で発生する熱による液晶パネル１０の温度変化が時間的に安定する定常状態である。
【００５４】
これにより、液晶パネル１０の表示領域ＤＡ内の温度の変動に起因する表示むらを抑制できる。
【００５５】
図９（ａ）〜図９（ｈ）は、液晶表示装置の動作を例示するグラフ図である。  
すなわち、図９（ａ）〜図９（ｆ）は、実施形態に係る液晶表示装置５０に対応し、図９（ｇ）及び図９（ｈ）は、第１参考例の液晶表示装置５９ａに対応する。これらの図において、横軸は液晶層２７０に印加される印加電圧Ｖａであり、縦軸は透過率Ｔｒである。電気光学特性は、図４（ａ）及び図４（ｂ）に例示したように曲線の特性であるが、図を見易くするために、図９（ａ）〜図９（ｈ）においては、電気光学特性が直線で示されている。
【００５６】
図９（ａ）及び図９（ｂ）は、第１領域ＲＧ１の特性に対応する。第１領域ＲＧ１においては、液晶層厚ｄＬは第１厚ｄ１である。図９（ｃ）及び図９（ｄ）は、第３領域ＲＧ３の特性に対応する。第３領域ＲＧ３においては、液晶層厚ｄＬは第３厚ｄ３である。図９（ｅ）及び図９（ｆ）は、第２領域ＲＧ２の特性に対応する。第２領域ＲＧ２においては、液晶層厚ｄＬは第２厚ｄ２である。第２厚ｄ２は第１厚ｄ１よりも大きい。第３厚ｄ３は、第１厚ｄ１と第２厚ｄ２との間である。
【００５７】
図９（ａ）、図９（ｃ）及び図９（ｅ）には、初期状態の特性が例示されている。初期状態において、温度は初期温度Ｔ０（例えば２５℃）である。図９（ｂ）、図９（ｄ）及び図９（ｆ）には、定常状態の特性が例示されている。定常状態においては、第１領域ＲＧ１の温度は第１温度Ｔ１であり、第３領域ＲＧ３の温度は第３温度Ｔ３であり、第２領域ＲＧ２の温度は第２温度Ｔ２である。第２温度Ｔ２は、第１温度Ｔ１よりも高い。第３温度Ｔ３は、第１温度Ｔ１と第２温度Ｔ２との間である。なお、図９（ｆ）には、温度が第４温度Ｔ４（例えば４０℃）のときの特性もさらに示されている。第４温度Ｔ４は、第２温度Ｔ２よりも低い温度である。第４温度Ｔ４は、第１温度Ｔ１よりも高い。
【００５８】
図９（ｇ）及び図９（ｈ）には、第１参考例として、液晶層厚ｄＬが、第２厚ｄ２よりも厚い第４厚ｄ４であるときの特性が示されている。図９（ｇ）には、温度が初期温度Ｔ０であるときの特性が示されている。図９（ｈ）には、温度が第２温度Ｔ２のときの特性が示されている。
【００５９】
図９（ａ）に表したように、初期状態において、第１領域ＲＧ１では、印加電圧Ｖａが第１電圧Ｖ１１のときに透過率Ｔｒが極小になる。図９（ｃ）に表したように、初期状態において、第３領域ＲＧ３では、印加電圧Ｖａが第３電圧Ｖ１３のときに透過率Ｔｒが極小になる。図９（ｅ）に表したように、初期状態において、第２領域ＲＧ２では、印加電圧Ｖａが第２電圧Ｖ１２のときに透過率Ｔｒが極小になる。第２電圧Ｖ１２は第１電圧Ｖ１１よりも高い。第３電圧Ｖ１３は、第１電圧Ｖ１１と第２電圧Ｖ１２との間の電圧である。
【００６０】
印加電圧Ｖａが第１電圧Ｖ１１に設定されると、第１領域ＲＧ１における透過率Ｔｒ（第１透過率Ｔｒ１１）は極小（例えば実質的に０）である。このとき、第３領域ＲＧ３における透過率Ｔｒ（第３透過率Ｔｒ１３）は、第１透過率Ｔｒ１１よりも高い。そして、第２領域ＲＧ２における透過率Ｔｒ（第２透過率Ｔｒ１２）は、第３透過率Ｔｒ１３よりも高くなる。すなわち、表示領域ＤＡ内における液晶層厚ｄＬの変動により、表示むらが発生する。ただし、第２透過率Ｔｒ１２及び第３透過率Ｔｒ１３は余り高くないため、この表示むらは許容範囲である。さらに、動作後に温度上昇が開始するので、この表示むらは短時間で消失し、実用的な問題にはならない。
【００６１】
図９（ｂ）に表したように、定常状態において、第１領域ＲＧ１（第１温度Ｔ１の例えば３５℃）では、印加電圧Ｖａが第４電圧Ｖ２１のときに透過率Ｔｒが極小になる。このときの第４透過率Ｔｒ２１は、実質的に０である。
【００６２】
図９（ｄ）に表したように、定常状態において、第３領域ＲＧ３（第３温度Ｔ３の例えば３８℃）では、例えば、印加電圧Ｖａが第４電圧Ｖ２１のときに透過率Ｔｒが極小になる。すなわち、第６透過率Ｔｒ２３は、実質的に０になる。このように、第３領域ＲＧ３の液晶層厚ｄＬが厚く（第１厚ｄ１よりも厚い第３厚ｄ３に）設定されているため、第３温度Ｔ３では第４電圧Ｖ２１のときに透過率Ｔｒが極小になる。このように、定常状態では、第１領域ＲＧ１と第３領域ＲＧ３とにおいて、表示むらは抑制される。
【００６３】
図９（ｆ）に表したように、定常状態において、第２領域ＲＧ２（第２温度Ｔ２の例えば５０℃）において、印加電圧Ｖａが第５電圧Ｖ２２のときに透過率Ｔｒが極小になる。第５電圧Ｖ２２は第４電圧Ｖ２１よりも低い。第２領域ＲＧ２においては、印加電圧Ｖａが第４電圧Ｖ２１の場合に、第４温度Ｔ４（例えば４０℃）において透過率Ｔｒが極小となる。すなわち、第２領域ＲＧ２の液晶層厚ｄＬは、温度が、定常状態の第２温度Ｔ２のときに透過率Ｔｒが極小となる厚さには設定されない。すなわち、第２領域ＲＧ２の液晶層厚ｄＬは、定常状態における第２温度Ｔ２よりも低い温度（第４温度Ｔ４）において透過率Ｔｒが極小となるように設定される。
【００６４】
このように、実施形態に係る液晶表示装置５０においては、第１温度Ｔ１において第１領域ＲＧ１における透過率Ｔｒが極小になる電圧（例えば第４電圧Ｖ２１）が液晶層２７０に印加されたときに、第２領域ＲＧ２の透過率Ｔｒは、第２温度Ｔ２よりも低い温度（第４温度Ｔ４）において極小になる。
【００６５】
このように、第１温度Ｔ１において第１領域ＲＧ１における透過率Ｔｒが極小になる電圧が液晶層２７０に印加されたときに、第２領域ＲＧ２における透過率Ｔｒは電圧の上昇に対して減少する状態である。
【００６６】
このとき、定常状態の第２領域ＲＧ２においては、透過率Ｔｒ（第５透過率Ｔｒ２２）は０ではない。しかしながら、第５透過率Ｔｒ２２は十分に低いため、表示むらは許容範囲であり、実用的な問題にはならない。
【００６７】
一方、図９（ｈ）に表したように、第１参考例の液晶表示装置５９ａにおいては、定常状態の第２温度Ｔ２のときに透過率Ｔｒが極小となるように液晶層厚ｄＬが設定されている。すなわち、液晶層厚ｄＬが、第２厚ｄ２よりも大きい第４厚ｄ４に設定されている。このため、定常状態における表示むらは、液晶表示装置５０よりも小さい。しかしながら、第１参考例においては、実用的な問題が発生する。
【００６８】
すなわち、図９（ｇ）に表したように、第１参考例の液晶表示装置５９ａにおいては、初期状態において、黒表示時の透過率Ｔｒが著しく高くなる。この結果、コントラスが大幅に低下する。この特性は、許容範囲を超え、実用上の重大な問題になる。  
本実施形態のように時分割方式によって立体表示を行う場合は、その３Ｄクロストークを低減するために、左右眼用の画像表示の間に黒画像を挿入することが考えられる。特に、この黒画像おけるコントラストが悪いと、表示品位が大幅に低下してしまう。
【００６９】
これに対し、実施形態に係る液晶表示装置５０においては、第２領域ＲＧ２の透過率Ｔｒは、第２温度Ｔ２よりも低い温度（第４温度Ｔ４）において極小になるように、第２領域ＲＧ２の液晶層厚ｄＬが適正に設定される。これにより、初期状態の表示むら、及び、定常状態の表示むらの両方が許容範囲内に抑制される。実施形態によれば、表示均一性が高い液晶表示装置が提供される。
【００７０】
図１０（ａ）〜図１０（ｄ）は、液晶表示装置の動作を例示するグラフ図である。  
すなわち、図１０（ａ）及び図１０（ｂ）は、初期状態の特性を例示している。図１０（ｃ）及び図１０（ｄ）は、定常状態の特性を例示している。図１０（ａ）及び図１０（ｃ）は、暗電圧Ｖｄの面内分布（Ｙ軸方向に沿った変化）を例示している。図１０（ｂ）及び図１０（ｄ）は、暗状態の透過率Ｔｒｄの面内分布（Ｙ軸方向に沿った変化）を示している。
【００７１】
ここで、暗状態の透過率Ｔｒｄは、第１領域ＲＧ１における透過率Ｔｒが極小になる印加電圧Ｖａを、表示領域ＤＡの全体（第２領域ＲＧ２及び第３領域ＲＧ３を含む）に印加したときの透過率Ｔｒである。これらの図には、実施形態に係る液晶表示装置５０と、第１参考例の液晶表示装置５９ａと、第２参考例の液晶表示装置５９ｂと、の特性が示されている。第２参考例の液晶表示装置５９ｂにおいては、表示領域ＤＡ内において液晶層厚ｄＬが一定（第１厚ｄ１）に設定されている。
【００７２】
図１０（ａ）に表したように、初期状態においては、第２参考例の液晶表示装置５９ｂの暗電圧Ｖｄは一定である。これは、液晶表示装置５９ｂの液晶層厚ｄＬが一定であり、温度ＴＰが一定であるためである。第１参考例の液晶表示装置５９ａにおいては、第２領域ＲＧ２の液晶層厚ｄＬが大きく設定されているため、第２領域ＲＧ２における暗電圧Ｖｄは著しく高い。これに対して、実施形態に係る液晶表示装置５０においては、第２領域ＲＧ２における液晶層厚ｄＬが適切に大きく設定されているため、第２領域ＲＧ２における暗電圧Ｖｄは適度に高い。
【００７３】
図１０（ｂ）に表したように、初期状態においては、液晶表示装置５９ｂの暗状態の透過率Ｔｒｄは一定である。液晶表示装置５９ａにおいては、第２領域ＲＧ２における暗状態の透過率Ｔｒｄは著しく高く、著しい表示むらが発生する。これに対して、液晶表示装置５０においては、第２領域ＲＧ２における暗状態の透過率Ｔｒｄは、第１領域ＲＧ１に比べて高くなるものの、実用的な許容値内である。このため、表示むらは実質的には問題にならない。
【００７４】
図１０（ｃ）に表したように、定常状態においては、第２参考例の液晶表示装置５９ｂにおいては、第２領域ＲＧ２における暗電圧Ｖｄが著しく低い。これは、第２領域ＲＧ２の温度が著しく上昇し、液晶層厚ｄＬが一定であるためである。第１参考例の液晶表示装置５９ａの暗電圧Ｖｄは一定である。これは、液晶表示装置５９ａにおいては、第２領域ＲＧ２の液晶層厚ｄＬが定常状態の温度分布にちょうど合わせて設定されているためである。実施形態に係る液晶表示装置５０においては、第２領域ＲＧ２における液晶層厚ｄＬが適切に大きく設定されているため、第２領域ＲＧ２における暗電圧Ｖｄは適度に低い。
【００７５】
図１０（ｄ）に表したように、定常状態においては、液晶表示装置５９ｂの暗状態の透過率Ｔｒｄは著しく高く、表示むらが発生する。液晶表示装置５９ａにおいては、第２領域ＲＧ２における暗状態の透過率Ｔｒｄは一定である。これに対して、液晶表示装置５０においては、第２領域ＲＧ２における暗状態の透過率Ｔｒｄは、第１領域ＲＧ１に比べて高くなるものの、実用的な許容範囲内である。このため、表示むらは実質的に問題にならない。
【００７６】
このように、第１参考例の液晶表示装置５９ｂにおいては、定常状態では均一に表示されるが、初期状態においては著しい表示むらが発生する。第２参考例の液晶表示装置５９ｂにおいては、初期状態では均一に表示されるが、定常状態においては著しい表示むらが発生する。
【００７７】
これに対し、実施形態に係る液晶表示装置５０においては、初期状態及び定常状態において、暗状態の透過率Ｔｒｄは完全に均一ではないものの実用的な許容範囲内であり、表示むらが実質的に抑制される。すなわち、表示均一性が高い。
【００７８】
図１１（ａ）〜図１１（ｃ）は、実施形態に係る別の液晶表示装置の構成を例示する模式的平面図である。  
これらの図においては、駆動部４０は省略されている。
【００７９】
図１１（ａ）に表したように、実施形態に係る別の液晶表示装置５１においては、液晶パネル１０の表示領域ＤＡ内に、第１領域ＲＧ１と、第２領域ＲＧ２と、第３領域ＲＧ３と、が設けられている。第１領域ＲＧ１は、第２領域ＲＧ２と第３領域ＲＧ３との間に設けられる。動作中において、第１領域ＲＧ１の温度は第１温度であり、第２領域ＲＧ２の温度は第１温度よりも高い第２温度であり、第３領域ＲＧ３の温度は第１温度よりも高い第３温度である。
【００８０】
第２領域ＲＧ２における複数の柱状スペーサ２５０の単位面積あたりの合計の面積は、第１領域ＲＧ１における複数の柱状スペーサ２５０の単位面積あたりの合計の面積よりも大きい。第３領域ＲＧ３における複数の柱状スペーサ２５０の単位面積あたりの合計の面積は、第１領域ＲＧ１における複数の柱状スペーサ２５０の単位面積あたりの合計の面積よりも大きい。
第２領域ＲＧ２における液晶層２７０の厚さは、第１領域ＲＧ１における液晶層２７０の厚さよりも厚い。第３領域ＲＧ３における液晶層２７０の厚さは、第１領域ＲＧ１における液晶層２７０の厚さよりも厚い。
【００８１】
第１温度において第１領域ＲＧ１における透過率Ｔｒが極小になる電圧が液晶層２７０に印加されたときに、第２領域ＲＧ２の透過率Ｔｒは、上記の第２温度よりも低い温度において極小になる。そして、第１温度において第１領域ＲＧ１における透過率Ｔｒが極小になる電圧が液晶層２７０に印加されたときに、第３領域ＲＧ３の透過率Ｔｒは、上記の第３温度よりも低い温度において極小になる。
【００８２】
上記の第１領域ＲＧ１の温度が第１温度で、第２領域ＲＧ２の温度が第２温度で、第３領域ＲＧ３の温度が第３温度であるときは、動作中において光源装置で発生する熱による液晶パネル１０の温度変化が時間的に安定する定常状態である。
【００８３】
すなわち、液晶表示装置５１においては、第１の発光部３１が液晶パネル１０の第１辺に沿って配置される。そして、第２の発光部３１ａが液晶パネル１０の第１辺に対向する第２辺に沿って配置される。第２領域ＲＧ２は、第１領域ＲＧ１と第１辺（第１の発光部３１）との間に配置される。第３領域ＲＧ３は、第１領域ＲＧ１と第２辺（第２の発光部３１ａ）との間に配置される。液晶パネル１０の第１辺に近い部分（第２領域ＲＧ２）及び第２辺に近い部分（第３領域ＲＧ３）における温度が、液晶パネル１０の中央部分（第１領域ＲＧ１）よりも高くなる。このとき、上記のように柱状スペーサ２５０の面積比を制御し、液晶層厚ｄＬを制御することで、表示均一性を高くできる。
【００８４】
なお、本具体例では、第１領域ＲＧ１と第２領域ＲＧ２との間に第４領域ＲＧ４が設けられている。第１領域ＲＧ１と第３領域ＲＧ３との間に第５領域ＲＧ５が設けられている。第４領域ＲＧ４の温度は、第１温度と第２温度との間である。第４領域ＲＧ４における複数の柱状スペーサ２５０の単位面積あたりの合計の面積は、第１領域ＲＧ１における複数の柱状スペーサ２５０の単位面積あたりの合計の面積と、第２領域ＲＧ２における複数の柱状スペーサ２５０の単位面積あたりの合計の面積との間に設定される。そして、第４領域ＲＧ４における液晶層２７０の厚さは、第１領域ＲＧ１の液晶層２７０の厚さと第２領域ＲＧ２の液晶層２７０の厚さとの間に制御される。第５領域ＲＧ５の温度は、第１温度と第３温度との間である。第５領域ＲＧ５における複数の柱状スペーサ２５０の単位面積あたりの合計の面積は、第１領域ＲＧ１における複数の柱状スペーサ２５０の単位面積あたりの合計の面積と、第３領域ＲＧ２における複数の柱状スペーサ２５０の単位面積あたりの合計の面積との間に設定される。そして、第５領域ＲＧ５における液晶層２７０の厚さは、第１領域ＲＧ１の液晶層２７０の厚さと第３領域ＲＧ３の液晶層２７０の厚さとの間に制御される。
【００８５】
図１１（ｂ）に表したように、実施形態に係る別の液晶表示装置５２においては、液晶パネル１０の表示領域ＤＡ内に、第１領域ＲＧ１と、第２領域ＲＧ２と、が設けられている。動作中において、第１領域ＲＧ１の温度は第１温度であり、第２領域ＲＧ２の温度は第１温度よりも高い第２温度である。第２領域ＲＧ２は、Ｘ軸方向に沿う第１部分ＲＧ２ａと、Ｙ軸方向に沿う第２部分ＲＧ２ｂと、を含む。第１部分ＲＧ２ａは、液晶パネル１０の第１辺に沿う。第２部分ＲＧ２ｂは、第１辺に隣接する第２辺に沿う。さらに、第３領域ＲＧ３が設けられても良い。第３領域ＲＧ３は、第１領域ＲＧ１と第２領域ＲＧ２との間に設けられる。第１領域ＲＧ１、第２領域ＲＧ２及び第３領域ＲＧ３の特性は、液晶表示装置５０と同様とすることができるので説明を省略する。
【００８６】
本具体例では、第１の発光部３１が液晶パネル１０の第１辺に沿って配置される。そして、第２の発光部３１ａが液晶パネル１０の第１辺に隣接する第２辺に沿って配置される。液晶パネル１０の第１辺に近い部分（第２領域ＲＧ２の第１部分ＲＧ２ａ）及び第２辺に近い部分（第２領域ＲＧ２の第２部分ＲＧ２ｂ）における温度が、液晶パネル１０の中央部分（第１領域ＲＧ１）よりも高くなる。このとき、上記のように柱状スペーサ２５０の面積比を制御し、液晶層厚ｄＬを制御することで、表示均一性を高くできる。
【００８７】
図１１（ｃ）に表したように、実施形態に係る別の液晶表示装置５３においては、発光部３１が、液晶パネル１０の第１辺と、第１辺に隣接する第２辺に沿って配置される。すなわち、発光部３１がＬ字型の形状を有している。これ以外は、液晶表示装置５２と同様なので説明を省略する。液晶表示装置５３においても、表示均一性を高くできる。
【００８８】
図１２（ａ）及び図１２（ｂ）は、実施形態に係る液晶表示装置の構成を例示する模式図である。  
すなわち、図１２（ａ）は斜視図であり、図１２（ｂ）は平面図である。  
図１２（ａ）及び図１２（ｂ）に表したように、実施形態に係る別の液晶表示装置５５は、液晶パネル１０と、光源装置３０と、に加え、駆動部４０と、温度検出部４５と、をさらに備える。液晶パネル１０及び光源装置３０に関しては、液晶表示装置５０におけるそれらと同様とすることができるので説明を省略する。
【００８９】
駆動部４０は、液晶層２７０に印加される電圧を液晶層２７０に供給する。  
温度検出部４５は、液晶パネル１０の温度を得る。温度検出部４５は、液晶パネル１０の温度を検出する。また、温度検出部４５は、液晶パネル１０の温度を求めることが可能な温度を検出し、その温度から液晶パネル１０の温度を求めても良い。温度検出部４５には、サーミスタなどの任意のセンサを用いることができる。
【００９０】
駆動部４０は、温度検出部４５で得た液晶パネル１０の温度に基づいて、第１温度Ｔ１において第１領域ＲＧ１における透過率Ｔｒが極小になる電圧を液晶層２７０に印加する。すなわち、駆動部４０は、温度検出部４５で得た液晶パネル１０の温度に基づいて、図９（ｂ）、図９（ｄ）及び図９（ｆ）に関して説明した第４電圧Ｖ２１を液晶層２７０に印加する。これにより、液晶パネル１０の温度の変化に追従して自動的に適正な電圧を液晶層２７０に供給できる。すなわち、定常状態において、高い表示均一性を提供できる。
【００９１】
なお、上記の第１領域ＲＧ１の温度が第１温度Ｔ１で、第２領域ＲＧ２の温度が第２温度であるときは、動作中において光源装置で発生する熱による液晶パネル１０の温度変化が時間的に安定する定常状態である。
【００９２】
さらに、駆動部４０は、第１領域ＲＧ１の温度が第１温度Ｔ１よりも低い初期状態において、第１温度Ｔ１において第１領域ＲＧ１における透過率Ｔｒが極小になる上記の電圧（第４電圧Ｖ２１）よりも高い電圧（例えば第１電圧Ｖ１１）を液晶層２７０に印加する。これにより、初期状態において、適正な電圧を液晶層２７０に供給できる。
【００９３】
なお、液晶パネル１０が例えば複数の色のカラーフィルタを有している場合、そのカラーフィルタの波長特性に合わせて、液晶層２７０に印加する電圧を変更しても良い。
【００９４】
例えば、第２領域ＲＧ２における第１光学特性を有する第１カラーフィルタを有する画素の液晶層２７０の厚さは、第１領域ＲＧ１における上記の第１光学特性を有する第１カラーフィルタを有する画素の液晶層２７０の厚さよりも厚い。そして、第１温度Ｔ１において第１領域ＲＧ１における第１光学特性を有する第１カラーフィルタを有する画素の透過率Ｔｒが極小になる電圧が第２領域ＲＧ２における第１光学特性を有する第１カラーフィルタを有する画素の液晶層２７０に印加されたときに、第２領域ＲＧ２の第１光学特性を有する第１カラーフィルタを有する画素の透過率Ｔｒは、第２温度Ｔ２よりも低い温度において極小になる。  
これにより、それぞれの色のカラーフィルタを有する画素において、適正な透過率Ｔｒが得られ、高い表示均一性が得られる。
【００９５】
実施形態によれば、表示均一性が高い液晶表示装置が提供される。
【００９６】
以上、具体例を参照しつつ、実施の形態について説明した。しかし、実施形態は、これらの具体例に限定されるものではない。例えば、液晶表示装置に含まれる液晶パネル、基板、電極、配向膜、液晶層、偏光層、位相差層、光源装置、発光部、導光部、駆動部、温度検出部などの各要素の具体的な構成に関しては、当業者が公知の範囲から適宜選択することにより実施形態を同様に実施し、同様の効果を得ることができる限り、実施形態の範囲に包含される。  
また、各具体例のいずれか２つ以上の要素を技術的に可能な範囲で組み合わせたものも、実施形態の要旨を包含する実施形態の範囲に含まれる。
【００９７】
その他、実施の形態として上述した液晶表示装置を基にして、当業者が適宜設計変更して実施し得る全ての液晶表示装置も、実施形態の要旨を包含する限り、実施形態の範囲に属する。
【００９８】
その他、本発明の思想の範疇において、当業者であれば、各種の変更例及び修正例に想到し得るものであり、それら変更例及び修正例についても本発明の範囲に属するものと了解される。
【００９９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１００】
１０…液晶パネル、  １０ａ…主面、  ３０…光源装置、  ３１…発光部（第１の発光部）、  ３１ａ…第２の発光部、  ３２…導光部、  ４０…駆動部、  ４５…温度検出部、  ５０、５１、５２、５３、５５、５９ａ、５９ｂ…液晶表示装置、  ２１０…第１基板、  ２１１…第１電極、  ２１２…第１配向膜、  ２２０…第２基板、  ２２１…第２電極、  ２２２…第２配向膜、  ２５０…柱状スペーサ、  ２７０…液晶層、  ２７０ｌ…液晶分子、  ＤＡ…表示領域、  Ｆ１、Ｆ２…第１、第２位相差層、  Ｌｄ…液晶層厚、  Ｐ１、Ｐ２…第１、第２偏光層、  ＰＹ…位置、  ＰＹ１…遠隔部、  ＰＹ２…近接部、  ＲＧ１〜ＲＧ５…第１領域〜第５領域、  ＲＧ２ａ…第１部分、  ＲＧ２ｂ…第２部分、  ＳＲ…面積比、  Ｔ０…初期温度、  Ｔ０１…低温、  Ｔ０２…高温、  Ｔ０３…中温、  Ｔ１〜Ｔ４…第１〜第４温度、  ＴＰ…温度、  Ｔｒ…透過率、  Ｔｒ１１、Ｔｒ１２、Ｔｒ１３、Ｔｒ２１、Ｔｒ２２、Ｔｒ２３…第１、第２、第３、第４、第５、第６透過率、  Ｔｒｄ…暗状態の透過率、  Ｖ１１、Ｖ１２、Ｖ１３、Ｖ２１、Ｖ２２…第１、第２、第３、第４、第５電圧、  Ｖａ…印加電圧、  Ｖｄ…暗電圧、  Ｖｄ１…低電圧、  Ｖｄ２…高電圧、  Ｖｄ３…中電圧、  Ｖｔ１…高電圧、  Ｖｔ２…低電圧、  Ｖｔ３…中電圧、  Ｙ１…遠隔位置、  Ｙ２…近接位置、  ｄ０１…小厚、  ｄ０２…大厚、  ｄ０３…中厚、  ｄ１、ｄ２、ｄ３、ｄ４…第１〜第４厚、  ｄＬ…液晶層厚、  ｔ、ｔｃ１、ｔｃ２…時間
【図１】
2012098457.tif 000003
【図２】
2012098457.tif 000004
【図３】
2012098457.tif 000005
【図４】
2012098457.tif 000006
【図５】
2012098457.tif 000007
【図６】
2012098457.tif 000008
【図７】
2012098457.tif 000009
【図８】
2012098457.tif 000010
【図９】
2012098457.tif 000011
【図１０】
2012098457.tif 000012
【図１１】
2012098457.tif 000013
【図１２】
2012098457.tif 000014